(57)【要約】【課題】  長期間にわたって食品消費者の医療情報を収集する。【解決手段】  サプリメントメーカは、医師への報酬分を上乗せしてサプリメントを販売し、報酬分を資金口座にプールする。消費者は、ＩＤカードを小売店舗に提出してサプリメントを購入する。小売店舗は、レジスタにＩＤカードの識別情報を読み取らせ、識別情報と紐付けて購入情報（品目、数量及び購入日）を医療情報収集サーバへ送信する。消費者は、ＩＤカードを提出して医師の診療を受ける。医師は、専用コンピュータ端末にＩＤカードの識別情報を読み取らせた上、電子カルテを入力する。専用コンピュータ端末は、識別情報と紐付けて電子カルテを医療情報収集サーバへ送信する。医療情報収集サーバは、収集した購入情報及び医療情報に基づいて消費者へ情報提供サービスを行うと共に、資金口座から医師の口座へ報酬を振り込む。【選択図】  図１
2005293506.tif 000002
【特許請求の範囲】
【請求項１】
食品を販売する店舗に設置され、アイディーカードに格納された前記食品を購入する消費者の識別情報を読み取る読取手段を有するレジスタと、
前記消費者が通院する診療所に設置され、前記アイディーカードに格納された前記消費者の識別情報を読み取る読取手段と、前記消費者に対する診療の結果を含む電子カルテが入力される入力手段とを有するコンピュータ端末と、
前記レジスタ及び前記コンピュータ端末と通信回線を介して接続され、
前記レジスタから、購入された前記食品の品名、数量及び購入日を含み、前記識別情報と紐付けされた購入情報を受信し、前記コンピュータ端末から、前記識別情報と紐付けされた前記電子カルテを受信し、これらを格納して購入情報データベース及び医療情報データベースを作成する情報収集手段と、
前記電子カルテの受信に応じて又は前記購入情報の受信に応じて予め登録された医師及び情報入力者のうちの少なくとも一方の口座へ情報入力料を支払う決済処理を行う決済手段と、
前記購入情報データベース及び前記医療情報データベースに基づいて前記消費者への前記食品の摂取又は購入の勧めを判断し、通信回線を介して前記消費者へ通知する通知手段とを有するサーバを備えた
ことを特徴とする医療情報収集システム。
【請求項２】
食品を販売する店舗に設置され、アイディーカードに前記食品の品名、数量及び購入日を含む購入情報を書き込む書込手段を有するレジスタと、
前記食品を購入する消費者が通院する診療所に設置され、前記アイディーカードに格納された購入情報及び前記消費者の識別情報を読み取る読取手段と、前記消費者に対する診療の結果を含む電子カルテが入力される入力手段とを有するコンピュータ端末と、
前記コンピュータ端末と通信回線を介して接続され、
前記コンピュータ端末から前記識別情報と紐付けされた前記購入情報及び前記電子カルテを受信し、これらを格納して購入情報データベース及び医療情報データベースを作成する情報収集手段と、
前記購入情報及び前記電子カルテの受信に応じて医師及び情報入力者のうちの少なくとも一方へ情報入力料を支払う決済処理を行う決済手段と、
前記購入情報データベース及び前記医療情報データベースに基づいて前記消費者への前記食品の摂取又は購入の勧めを判断し、通信回線を介して前記消費者へ通知する通知手段とを有するサーバを備えた
ことを特徴とする医療情報収集システム。
【請求項３】
前記サーバが、前記購入情報データベースに基づいて前記食品の標準摂取量を算出する算出手段を備えた
ことを特徴とする請求項１又は２に記載の医療情報収集システム。
【請求項４】
前記サーバが、前記標準摂取量及び特定の消費者の前記購入情報に基づいて、当該消費者が前記食品を過剰摂取又は過少摂取していることを判断する摂取量評価手段を備えた
ことを特徴とする請求項３に記載の医療情報収集システム。
【請求項５】
前記サーバが、
前記医療情報データベースに基づいて病気又は体調不良を引き起こす要因となる天候条件を判断する天候条件判断手段と、
前記医療情報データベースに基づいて前記病気又は体調不良を防止するのに効果がある食品を判断する食品判断手段とを備え、
前記通知手段が、天候条件に応じて、前記天候条件判断手段及び前記食品判断手段の判断結果に基づいて、通信回線を介して前記消費者へ前記食品の摂取又は購入の勧めを通知する
ことを特徴とする請求項１又は２に記載の医療情報収集システム。
【請求項６】
食品を販売する店舗に設置されたレジスタの読取手段に、アイディーカードに格納された前記食品を購入する消費者の識別情報を読み取らせる第１読取ステップと、
前記消費者が通院する診療所に設置されたコンピュータ端末の読取手段に、前記アイディーカードに格納された前記消費者の識別情報を読み取らせる第２読取ステップと、
前記コンピュータ端末の入力手段に、前記消費者に対する診療の結果を含む電子カルテを入力する入力ステップと、
前記レジスタ及び前記コンピュータ端末と通信回線を介して接続されたサーバの情報収集手段に、前記レジスタから、購入された前記食品の品名、数量及び購入日を含み、前記識別情報と紐付けされた購入情報を受信し、前記コンピュータ端末から、前記識別情報と紐付けされた前記電子カルテを受信し、これらを格納して購入情報データベース及び医療情報データベースを作成させる情報収集ステップと、
前記サーバの決済手段に、前記電子カルテの受信に応じて又は前記購入情報の受信に応じて予め登録された医師及び情報入力者のうちの少なくとも一方の口座へ情報入力料を支払う決済処理を行わせる決済ステップと、
前記サーバの通知手段に、前記購入情報データベース及び前記医療情報データベースに基づいて前記消費者への前記食品の摂取又は購入の勧めを判断し、通信回線を介して前記消費者へ通知させる通知ステップとを備えた
ことを特徴とする医療情報収集方法。
【請求項７】
食品を販売する店舗に設置されたレジスタの書込手段に、アイディーカードに前記食品の品名、数量及び購入日を含む購入情報を書き込ませる書込ステップと、
前記食品を購入する消費者が通院する診療所に設置されたコンピュータ端末の読取手段に、前記アイディーカードに格納された購入情報及び前記消費者の識別情報を読み取らせる読取ステップと、
前記コンピュータ端末の入力手段に、前記消費者に対する診療の結果を含む電子カルテを入力する入力ステップと、
前記コンピュータ端末と通信回線を介して接続されたサーバの情報収集手段に、前記コンピュータ端末から前記識別情報と紐付けされた前記購入情報及び前記電子カルテを受信し、これらを格納して購入情報データベース及び医療情報データベースを作成させる情報収集ステップと、
前記サーバの決済手段に、前記購入情報及び前記電子カルテの受信に応じて医師及び情報入力者のうちの少なくとも一方へ情報入力料を支払う決済処理を行わせる決済ステップと、
前記サーバの通知手段に、前記購入情報データベース及び前記医療情報データベースに基づいて前記消費者への前記食品の摂取又は購入の勧めを判断し、通信回線を介して前記消費者へ通知させる通知ステップとを備えた
ことを特徴とする医療情報収集方法。
【請求項８】
医療情報収集サーバが、
食品を販売する仮想店舗をネットワーク上で提示するステップと、
ネットワークを介して端末から前記食品の購入申出を受信するステップと、
前記購入申出に含まれる購入者の識別情報を読み取るステップと、
前記購入者が通院する診療所の端末から前記購入者に対する診療の結果を含む電子カルテを受信するステップと、
前記電子カルテに含まれる購入者の識別情報を読み取るステップと、
前記識別情報と紐付けされ、前記購入申出に含まれ、前記食品の品名、数量及び購入日を含む購入情報、並びに前記識別情報と紐付けされた前記電子カルテを格納して購入情報データベース及び医療情報データベースを作成するステップと、
前記電子カルテの受信に応じて又は前記購入申出の受信に応じて、予め登録された医師及び情報入力者のうちの少なくとも一方の口座へ情報入力料を支払うステップと、
前記購入情報データベース及び前記医療情報データベースに基づいて前記購入者への前記食品の摂取又は購入の勧めを判断し、通信回線を介して前記購入者へ通知するステップとを備えた
ことを特徴とする医療情報収集方法。
【請求項９】
前記サーバが、前記識別情報が手動入力される手動入力手段を備えた
ことを特徴とする請求項１に記載の医療情報収集システム。
【発明の詳細な説明】
【技術分野】
【０００１】
本発明は、食品の販売を促進しつつ、消費者の医療情報を収集する方法に関する。
【背景技術】
【０００２】
従来の消費者の医療情報を収集する方法は、専ら食品消費者や掛かり付けの医師の協力に頼るものであった。
【発明の開示】
【発明が解決しようとする課題】
【０００３】
上記の従来の方法には、食品消費者や医師にとって情報収集に協力するメリットがないので、短期間のうちに情報提供が途絶えてしまうという問題点があった。
【０００４】
本発明は、上記課題に鑑みてなされたものであり、長期間にわたって食品消費者の医療情報を収集することができる医療情報収集システム等を提供することを目的とする。
【課題を解決するための手段】
【０００５】
本発明の医療情報収集システムは、食品を販売する店舗に設置され、アイディーカードに格納された前記食品を購入する消費者の識別情報を読み取る読取手段を有するレジスタと、前記消費者が通院する診療所に設置され、前記アイディーカードに格納された前記消費者の識別情報を読み取る読取手段と、前記消費者に対する診療の結果を含む電子カルテが入力される入力手段とを有するコンピュータ端末と、前記レジスタ及び前記コンピュータ端末と通信回線を介して接続され、前記レジスタから、購入された前記食品の品名、数量及び購入日を含み、前記識別情報と紐付けされた購入情報を受信し、前記コンピュータ端末から、前記識別情報と紐付けされた前記電子カルテを受信し、これらを格納して購入情報データベース及び医療情報データベースを作成する情報収集手段と、前記電子カルテの受信に応じて又は前記購入情報の受信に応じて予め登録された医師及び情報入力者のうちの少なくとも一方の口座へ情報入力料を支払う決済処理を行う決済手段と、前記購入情報データベース及び前記医療情報データベースに基づいて前記消費者への前記食品の摂取又は購入の勧めを判断し、通信回線を介して前記消費者へ通知する通知手段とを有するサーバを備えたことを特徴とする。
【０００６】
また、本発明の医療情報収集システムの別の側面は、食品を販売する店舗に設置され、アイディーカードに前記食品の品名、数量及び購入日を含む購入情報を書き込む書込手段を有するレジスタと、前記食品を購入する消費者が通院する診療所に設置され、前記アイディーカードに格納された購入情報及び前記消費者の識別情報を読み取る読取手段と、前記消費者に対する診療の結果を含む電子カルテが入力される入力手段とを有するコンピュータ端末と、前記コンピュータ端末と通信回線を介して接続され、前記コンピュータ端末から前記識別情報と紐付けされた前記購入情報及び前記電子カルテを受信し、これらを格納して購入情報データベース及び医療情報データベースを作成する情報収集手段と、前記購入情報及び前記電子カルテの受信に応じて医師及び情報入力者のうちの少なくとも一方へ情報入力料を支払う決済処理を行う決済手段と、前記購入情報データベース及び前記医療情報データベースに基づいて前記消費者への前記食品の摂取又は購入の勧めを判断し、通信回線を介して前記消費者へ通知する通知手段とを有するサーバを備えたことを特徴とする。
【０００７】
本発明の医療情報収集方法は、食品を販売する店舗に設置されたレジスタの読取手段に、アイディーカードに格納された前記食品を購入する消費者の識別情報を読み取らせる第１読取ステップと、前記消費者が通院する診療所に設置されたコンピュータ端末の読取手段に、前記アイディーカードに格納された前記消費者の識別情報を読み取らせる第２読取ステップと、前記コンピュータ端末の入力手段に、前記消費者に対する診療の結果を含む電子カルテを入力する入力ステップと、前記レジスタ及び前記コンピュータ端末と通信回線を介して接続されたサーバの情報収集手段に、前記レジスタから、購入された前記食品の品名、数量及び購入日を含み、前記識別情報と紐付けされた購入情報を受信し、前記コンピュータ端末から、前記識別情報と紐付けされた前記電子カルテを受信し、これらを格納して購入情報データベース及び医療情報データベースを作成させる情報収集ステップと、前記サーバの決済手段に、前記電子カルテの受信に応じて又は前記購入情報の受信に応じて予め登録された医師及び情報入力者のうちの少なくとも一方の口座へ情報入力料を支払う決済処理を行わせる決済ステップと、前記サーバの通知手段に、前記購入情報データベース及び前記医療情報データベースに基づいて前記消費者への前記食品の摂取又は購入の勧めを判断し、通信回線を介して前記消費者へ通知させる通知ステップとを備えたことを特徴とする。
【０００８】
また、本発明の医療情報収集方法の別の側面は、食品を販売する店舗に設置されたレジスタの書込手段に、アイディーカードに前記食品の品名、数量及び購入日を含む購入情報を書き込ませる書込ステップと、前記食品を購入する消費者が通院する診療所に設置されたコンピュータ端末の読取手段に、前記アイディーカードに格納された購入情報及び前記消費者の識別情報を読み取らせる読取ステップと、前記コンピュータ端末の入力手段に、前記消費者に対する診療の結果を含む電子カルテを入力する入力ステップと、前記コンピュータ端末と通信回線を介して接続されたサーバの情報収集手段に、前記コンピュータ端末から前記識別情報と紐付けされた前記購入情報及び前記電子カルテを受信し、これらを格納して購入情報データベース及び医療情報データベースを作成させる情報収集ステップと、前記サーバの決済手段に、前記購入情報及び前記電子カルテの受信に応じて医師及び情報入力者のうちの少なくとも一方へ情報入力料を支払う決済処理を行わせる決済ステップと、前記サーバの通知手段に、前記購入情報データベース及び前記医療情報データベースに基づいて前記消費者への前記食品の摂取又は購入の勧めを判断し、通信回線を介して前記消費者へ通知させる通知ステップとを備えたことを特徴とする。
【０００９】
本発明のシステム又は方法によれば、医師及び情報入力者はインセンティブ（情報入力料）を受領することができるので情報提供に積極的にかつ長期間にわたって協力すると期待される。また、消費者は、食品の購買又は摂取に関するアドバイスを受けることができるので情報提供に積極的にかつ長期間にわたって協力すると期待される。また、消費者、店員及び医師が、アイディーカードの読取り／書込み作業の他、通常の購買行為及び診療行為を行うだけで、自動的に医療情報が収集される。なお、本発明においては、医師のみが電子カルテの提供に協力した場合には医師のみへ報酬が支払われ、医師以外の病院スタッフが電子カルテの入力作業に関与した場合には医師へ診療報酬分が支払われ、情報入力者である病院スタッフへ情報入力報酬分が支払われることが想定されている。
【００１０】
また、本発明の医療情報収集システム及び医療情報収集方法は、キーボード等の識別情報が手動入力される手動入力手段を備えたことが好適である。これにより、消費者が食品を購入する際にアイディーカードを携帯していなかったとしても、手動入力により識別情報を入力することができる。
【００１１】
また、本発明の医療情報収集方法の別の側面は、医療情報収集サーバが、食品を販売する仮想店舗をネットワーク上で提示するステップと、ネットワークを介して端末（パーソナルコンピュータ、携帯電話など）から前記食品の購入申出を受信するステップと、前記購入申出に含まれる購入者の識別情報を読み取るステップと、前記購入者が通院する診療所の端末から前記購入者に対する診療の結果を含む電子カルテを受信するステップと、前記電子カルテに含まれる購入者の識別情報を読み取るステップと、前記識別情報と紐付けされた前記購入申出に係る前記食品の品名、数量及び購入日を含む購入情報並びに前記識別情報と紐付けされた前記電子カルテを格納して購入情報データベース及び医療情報データベースを作成するステップと、前記電子カルテの受信に応じて又は前記購入申出の受信に応じて、予め登録された医師及び情報入力者のうちの少なくとも一方の口座へ情報入力料を支払うステップと、前記購入情報データベース及び前記医療情報データベースに基づいて前記購入者への前記食品の摂取又は購入の勧めを判断し、通信回線を介して前記購入者へ通知することを特徴とする。
【発明の効果】
【００１２】
長期間にわたって食品消費者の医療情報を収集することができる。
【発明を実施するための最良の形態】
【００１３】
以下、添付図面を参照して、本発明の好適な実施形態を詳細に説明する。図１は、本実施形態のサプリメント販売方法の概要を説明する図である。
【００１４】
サプリメントメーカは、サプリメント消費者を診療した医師に支払うインセンティブ（報酬分）を対価に上乗せして卸売業者にサプリメントを販売する。インセンティブは、医療情報収集サーバが管理する資金口座にプールされる。なお、サプリメントメーカが卸売業者を介さずに直接小売店舗へサプリメントを販売することも考えられる。
【００１５】
小売店舗がサプリメントを仕入れて消費者に小売する。小売店舗には、ＩＤカードに含まれている識別情報を読み取り、消費者が購入したサプリメントの購入情報（品目、数量及び購入日）をＩＤカードに記録するカードリーダ／レコーダ機能を有するレジスタが設置されている。消費者が小売店舗でサプリメントを購入する際、消費者は自分のＩＤカードを小売店舗に提出し、自分の識別情報を読み取らせると共に、サプリメント購入情報を記録させる。レジスタが、ＩＤカードから購入者識別情報を読み取り、購入者識別情報と紐付けた購入情報を通信ネットワークを介して医療情報収集サーバに送信する。これに代えて、消費者が医師の診療を受ける際に、専用コンピュータ端末がＩＤカードに記録された購入情報を読み取り、これを医療情報収集サーバに送信してもよい。
【００１６】
消費者が医師の診療を受ける。診療所には、通信ネットワークを介して医療情報収集サーバと情報を共有する専用コンピュータ端末が設置されている。診療を受ける際、消費者は医師にＩＤカードを提出する。医師は、ＩＤカードに記録された識別情報を専用コンピュータ端末に読み取らせ、医療情報収集サーバに格納された消費者（患者）の医療情報をダウンロードさせる。医師は、ダウンロードした医療情報を利用して診療を行うことができる。医師は診療結果を電子カルテにまとめ、医師又は病院スタッフがこれを専用コンピュータ端末に入力する。
【００１７】
医療情報収集サーバは、電子カルテを取得した後に、資金口座から医師（医師に代わって病院スタッフが電子カルテを入力した場合には、医師と病院スタッフの双方）の口座にインセンティブを振り込む決済処理を行う。具体的な決済方法としては、専用コンピュータ端末にポイントを加算し、医師が集めたポイントを換金する方法などが考えられる。なお、インセンティブの振込みは、小売店舗のレジスタから医療情報収集サーバへ購入情報が送信された時点でなされてもよい。
【００１８】
医療情報収集サーバは、サプリメントの効用に関する医療情報をデータベースにまとめ、サプリメントメーカへ提供する。また、医療情報収集サーバは、収集したデータに基づいて消費者へサプリメントの購入の催促、特定の天候条件が続いたときのサプリメント摂取の勧め等を行う。
【００１９】
本実施形態のサプリメント販売方法では、医師はインセンティブの取得、消費者は情報提供サービスの享受というメリットを受けるので、各当事者が積極的にかつ長期間にわたって購入情報、摂取情報及び医療情報の提供に協力することが期待される。
【００２０】
図２のフローチャートを参照して、医療情報収集サーバがサプリメント購入情報を取得し、消費者へサプリメントの購入及び摂取に関する情報提供サービスを提供するプロセスを説明する。図２は、医療情報収集サーバがサプリメント購入情報を取得し、消費者へサプリメントの購入及び摂取に関する情報提供サービスを提供するプロセスを説明するフローチャートである。
【００２１】
消費者が、小売店舗でＩＤカードを提出してサプリメントの購入を申し込む（Ｓ２０１）。小売店舗は、カードリーダ／レコーダ機能を有すると共に、通信ネットワークを介して医療情報収集サーバと接続されたレジスタを用いてＩＤカードに格納された消費者の識別情報を読み取る（Ｓ２０３）。レジスタは、購入情報（品目、数量及び購入日）を消費者の識別情報と紐付けて医療情報収集サーバへ送信する（Ｓ２０４）。
【００２２】
医療情報収集サーバは、識別情報に該当する購入履歴と購入情報とを比較し、当該消費者による当該サプリメントの購入が新規購入か否かを判断する（Ｓ２０５）。
【００２３】
新規購入でない場合、医療情報収集サーバは、標準テーブル（標準データベース）を参照して（Ｓ２０７）、消費者のサプリメント摂取量を評価する（Ｓ２０９）。消費者の摂取量が不足していると評価された場合、その旨の通知が電子メール、ファクシミリなどの通信手段を用いて消費者に通知される（Ｓ２１１）。また、消費者が通知先の医師を登録している場合には、この通知が当該医師にも通知される。
【００２４】
図３は、標準テーブルの作成及び食品摂取量の評価を行うプロセス（Ｓ２０７、Ｓ２０９）を説明するフローチャートである。図３を参照して、標準テーブルの作成及び食品摂取量の評価を行うプロセスを詳細に説明する。医療情報収集サーバは、健康な人の食品の摂取量をデータベースから読み込む（Ｓ３０１）。
【００２５】
医療情報収集サーバは、上記の健康な人を性別及び年代で分類し、各分類の合計摂取量及び人数を取得し（Ｓ３０３）、一人当たりの平均摂取量を取得する（Ｓ３０５）。医療情報収集サーバは、取得した情報を整理して、性別、年齢及び品目を分類要素とし、各分類における平均摂取量、該当する食品に含まれる成分を示す標準テーブルを作成する（Ｓ３０７）。なお、医療情報収集サーバは、上記の平均摂取量に代えて、WHOなどの公的機関が推奨する摂取量を標準テーブルに記録してもよい。
【００２６】
医療情報収集サーバは、識別情報に該当する消費者の過去３か月にわたる各食品の摂取量を読み込み（Ｓ３０９）、一日当たりの平均摂取量を取得する（Ｓ３１１）。
【００２７】
医療情報収集サーバは、各食品について、Ｓ３１１で取得した該当消費者の平均摂取量から標準テーブルの平均摂取量（一日当たり）を控除した値を算出する（Ｓ３１３）。
【００２８】
ある食品についてＳ３１３で取得した値が負であった場合に、医療情報収集サーバは、消費者に摂取量が少ないことを通知する処理を行う（Ｓ３１５、Ｓ３１７）。また、標準テーブルの平均摂取量（一日当たり）に対するＳ３１１で取得した該当消費者の平均摂取量の比率が一定値以上であった場合に過剰摂取とし、一定値以下であった場合に過少摂取であると判断して通知することも考えられる。
【００２９】
Ｓ２０５で新規購入でないと判断された場合及びＳ２１１に続いて、医療情報収集サーバは、標準テーブルを参照して（Ｓ２１３）、識別情報に該当する消費者の属性情報と一致する分類の平均摂取量（サプリメントの一人一日当たりの平均摂取量）を取得する（Ｓ２１４）。
【００３０】
医療情報収集サーバは、購入情報に含まれる購入数量をＳ２１４で取得した平均摂取量で除することにより摂取期間を算定し（Ｓ２１５）、購入日から起算して摂取期間が満了する日をデータベースに記録する（Ｓ２１７）。
【００３１】
医療情報収集サーバは、摂取期間の満了日が近づいたとき（例えば５日前）に、消費者へサプリメントの購入を催促する（Ｓ２１９）。
【００３２】
次に、天候条件に応じて医師及び消費者にサプリメントの摂取を推奨するプロセスを説明する。図４は、天候条件に応じて医師及び消費者にサプリメントの摂取を推奨するプロセスを説明するフローチャートである。
【００３３】
図６は、医療情報データベースの例を示す。図７は、天候条件の分類の仕方を示す。医療情報収集サーバは、収集した電子カルテをまとめて図６に示すような医療情報データベースを作成する（Ｓ４０１）。医療情報データベースは、診療時の天候条件と紐付けされて記録されている。
【００３４】
医療情報収集サーバは、医療情報データベースを参照して健康状態に悪影響を与えると考えられる天候条件を判断する（Ｓ４０３）。図５は、健康状態に悪影響を与えると考えられる天候条件を判断するプロセス（Ｓ４０３）を説明するフローチャートである。図５を参照して、健康状態に悪影響を与えると考えられる天候条件を判断するプロセスを詳細に説明する。
【００３５】
医療情報収集サーバは、一定の期間（対象期間）におけるある病気又は体調不良の診断数を集計する（Ｓ５０１）。また、医療情報収集サーバは、対象期間の前後の期間における対象期間で規格化された上記病気又は体調不良の診断数を集計する（Ｓ５０３、Ｓ５０５）。具体的には、対象期間の２倍の長さの期間における集計数を２で除した値をとる。
【００３６】
医療情報収集サーバは、対象期間の集計数について有意義水準５％でｔ−検定を行い、前後の規格化された集計数を超えるか否かを判断し（Ｓ５０７）、超えている場合に、対象期間及びその前の期間の天候条件を上記病気又は体調不良に影響を与える天候条件として天候情報データベースに記録する（Ｓ５０９）。
【００３７】
医療情報収集サーバは、消費者のサプリメント摂取履歴及び消費者の診療履歴を参照して、ある病気又は体調不良に影響を与える天候条件が続いているにも関わらずあるサプリメントを摂取している消費者の診療数が少ない場合に、当該サプリメントを当該病気又は体調不良の防止に効果があるサプリメントとしてデータベースに記録する（Ｓ４０７）。
【００３８】
医療情報収集サーバは、ある病気又は体調不良に影響を与える天候条件が一定期間続いたときに、消費者及び消費者の掛かり付けの医師に当該病気又は体調不良の危険性を通知すると共に、当該病気又は体調不良の防止に効果があるサプリメントの摂取を勧める（Ｓ４０７）。
【００３９】
本発明のインターネット取引への適用例を説明する。図８は、本発明のインターネット取引への適用例の概要を説明する図である。消費者は、医療情報収集サーバが提供するインターネット上のサプリメント販売サイトにアクセスして、サプリメントを購入する。医療情報収集サーバは、消費者がアクセスする際に当該消費者の識別情報を取得する。本適用例では、医療情報収集サーバと消費者の間で直接に取引きが行われるので、医療情報収集サーバの取引履歴に購入情報が含まれている。電子カルテの取得、医師への報酬の支払、データベースの作成、データベースに基づく消費者への情報提供は、上記の実施形態と同様に行われる。
【産業上の利用可能性】
【００４０】
本発明は、食品摂取を継続することの医療効果を調査するのに適用できる。
【図面の簡単な説明】
【００４１】
【図１】図１は、本実施形態のサプリメント販売方法の概要を説明する図である。
【図２】図２は、医療情報収集サーバがサプリメント購入情報を取得し、消費者へサプリメントの購入及び摂取に関する情報提供サービスを提供するプロセスを説明するフローチャートである。
【図３】図３は、標準テーブルの作成及び食品摂取量の評価を行うプロセスを説明するフローチャートである。
【図４】図４は、天候条件に応じて医師及び消費者にサプリメントの摂取を推奨するプロセスを説明するフローチャートである。
【図５】図５は、健康状態に悪影響を与えると考えられる天候条件を判断するプロセスを説明するフローチャートである。
【図６】図６は、医療情報データベースの例を示す。
【図７】図７は、天候条件の分類の仕方を示す。
【図８】図８は、本発明のインターネット取引への適用例の概要を説明する図である。
【図１】
2005293506.tif 000003
【図２】
2005293506.tif 000004
【図３】
2005293506.tif 000005
【図４】
2005293506.tif 000006
【図５】
2005293506.tif 000007
【図６】
2005293506.tif 000008
【図７】
2005293506.tif 000009
【図８】
2005293506.tif 000010